(57)【要約】【課題】オンスクリーン表示される画像を見ながらリモコン操作が行えると共に、ユーザにとって使い勝手が良いリモコン装置を備えた電子機器を提供する。【解決手段】リモコン装置２は、カーソルを移動制御するポインティングデバイス２２と、前記カーソルによって指示される位置を選択位置として確定させる選択位置確定手段２３と、を有する。電子機器本体１は、リモコン信号に基づいて制御指令を出す制御手段１１と、制御手段１１による制御下でリモコンを模したリモコン画像及びカーソルをオンスクリーン表示させるための信号を生成する表示信号生成手段１６と、を有する。このリモコン装置２と電子機器本体１とを備える電子機器には、ポインティングデバイス２２及び選択位置確定手段２３を用いて、前記リモコン画像中に表示される入力キーの配列を変更可能とするキー配列変更モードが設けられている。【選択図】図１
2010233157.tif 000002
【特許請求の範囲】
【請求項１】
リモコン装置と前記リモコン装置によって遠隔操作される電子機器本体とを備えた電子機器において、
前記リモコン装置は、カーソルを移動制御するポインティングデバイスと、前記カーソルによって指示される位置を選択位置として確定させる選択位置確定手段と、前記ポインティングデバイス及び前記選択位置確定手段からの信号をリモコン信号として前記電子機器本体に送信する送信手段と、を有し、
前記電子機器本体は、前記リモコン信号を受信する受信手段と、前記リモコン信号に基づいて制御指令を出す制御手段と、前記制御手段による制御下でリモコンを模したリモコン画像及び前記カーソルをオンスクリーン表示させるための信号を生成する表示信号生成手段と、を有し、
前記ポインティングデバイス及び前記選択位置確定手段を用いて、前記リモコン画像中に表示される入力キーの配列を変更可能とするキー配列変更モードが設けられていることを特徴とする電子機器。
【請求項２】
前記キー配列変更モードにおいては、前記制御手段は、前記ポインティングデバイス及び前記選択位置確定手段からの信号に基づいて送信される前記リモコン信号によって、変更を行う入力キーを確定し、変更を行う前記入力キーの変更後の位置を確定し、変更後のキー配列をメモリに記憶させると共に前記表示生成手段にキー配列変更後のリモコン画像を表示するための処理を行わせることを特徴とする請求項１に記載の電子機器。
【請求項３】
前記表示信号生成部は、前記リモコン装置によって遠隔操作可能な操作のそれぞれに対応付けて設けられた入力キーの一覧をオンスクリーン表示するための信号を生成可能となっており、
前記キー配列変更モードにおいては、前記一覧から選択される入力キーを前記リモコン画像中に追加できることを特徴とする請求項１又は２に記載の電子機器。
【請求項４】
前記ポインティングデバイスはタッチパネルであることを特徴とする請求項１から３のいずれかに記載の電子機器。
【請求項５】
前記電子機器本体が、テレビジョン受信装置本体であることを特徴とする請求項１から４のいずれかに記載の電子機器。
【発明の詳細な説明】
【技術分野】
【０００１】
本発明は、例えばテレビジョン受信装置等のリモコン装置を備えた電子機器に関する。
【背景技術】
【０００２】
近年、例えばテレビジョン受信装置、ＤＶＤプレーヤ等の映像再生装置、ＤＶＤレコーダ等の映像記録再生装置等の電子機器は、電子機器本体を遠隔操作できるようにリモコン装置を備えるのが一般的である。そして、従来、リモコン装置を備えた電子機器の構成について、様々な工夫が凝らされている（例えば、特許文献１〜５参照）。
【０００３】
例えば、リモコン装置を用いて電子機器の操作を行う場合、画面にオンスクリーン表示される画像を見ながら電子機器の操作を行う構成のものがある。近年の電子機器は多種多様な機能を備えたものが多く、それに伴ってリモコン操作も複雑となる傾向にある。このために、画面にオンスクリーン表示される画像を見ながらリモコンの操作を行うのは便利である。
【０００４】
そして、画面にオンスクリーン表示される画像を見ながらリモコンの操作を行う構成の中には、リモコンに模したリモコン画像を画面上に表示させ、カーソルの移動によってリモコン画像における入力キーを選択して、リモコン操作を実行する構成のものが提案されている（非特許文献１参照）。この構成では、リモコンの操作ボタンの数を低減してリモコンをシンプルな構成とでき、ユーザは画面に表示されるリモコン画像のみを見ながらリモコン操作を行える。このため、リモコン操作が容易であるとの印象をユーザに与える。
【先行技術文献】
【特許文献】
【０００５】
【特許文献１】特開平８−１８６７７４号公報
【特許文献２】特開平９−３０５３０５号公報
【特許文献３】特開２００７−３２５０１９号公報
【特許文献４】特開２００８−２５８８９４号公報
【特許文献５】特開２００７−２２８１６３号公報
【非特許文献】
【０００６】
【非特許文献１】Panasonic、“展示会ブログ Cyber Showcase Blog”、［online］、平成２０年１０月３日、［平成２１年３月１７日検索］、インターネット＜ＵＲＬ：http://ex-blog.panasonic.co.jp/exhibition/2008/10/ceatec08#520.html＞
【発明の概要】
【発明が解決しようとする課題】
【０００７】
しかしながら、リモコンを模したリモコン画像を画面上にオンスクリーン表示させてリモコン操作を行う上記構成においては、ユーザが次のような不満を抱く可能性がある。すなわち、画面上にオンスクリーン表示されるリモコン画像がユーザの好みの配置でないために使い勝手が悪いといった不満を抱く可能性がある。また、リモコン画像の中にユーザが頻繁に使用する操作キーが含まれていないために使い勝手が悪いといった不満を抱く可能性がある。更に、ユーザが使用しない操作キーがリモコン画像中に含まれるために、リモコン操作が複雑なものに感じられ、使い勝手が悪いといった不満を抱く可能性がある。
【０００８】
そこで、本発明の目的は、オンスクリーン表示される画像を見ながらリモコン操作が行えると共に、ユーザにとって使い勝手が良いリモコン装置を備えた電子機器を提供することである。
【課題を解決するための手段】
【０００９】
上記目的を達成するために本発明は、リモコン装置と前記リモコン装置によって遠隔操作される電子機器本体とを備えた電子機器において、前記リモコン装置は、カーソルを移動制御するポインティングデバイスと、前記カーソルによって指示される位置を選択位置として確定させる選択位置確定手段と、前記ポインティングデバイス及び前記選択位置確定手段からの信号をリモコン信号として前記電子機器本体に送信する送信手段と、を有し、前記電子機器本体は、前記リモコン信号を受信する受信手段と、前記リモコン信号に基づいて制御指令を出す制御手段と、前記制御手段による制御下でリモコンを模したリモコン画像及び前記カーソルをオンスクリーン表示させるための信号を生成する表示信号生成手段と、を有し、前記ポインティングデバイス及び前記選択位置確定手段を用いて、前記リモコン画像中に表示される入力キーの配列を変更可能とするキー配列変更モードが設けられていることを特徴としている。
【００１０】
本構成によれば、リモコン装置を見ずに、オンスクリーン表示されるリモコン画像を見ながら電子機器本体の遠隔操作を行うことが可能である。このために、リモコン装置に設けられる操作ボタンをシンプルとでき、ユーザはリモコン操作を行い易く感じる。そして、キー配列変更モードによって、オンスクリーン表示されるリモコン画像のキー配列の変更が可能である。このため、ユーザはオンスクリーン表示されるリモコン画像を自分用に使いやすい設定とでき、リモコン操作を更に行い易いものとできる。
【００１１】
上記構成の電子機器の具体的な構成として、前記キー配列変更モードにおいては、前記制御手段は、前記ポインティングデバイス及び前記選択位置確定手段からの信号に基づいて送信される前記リモコン信号によって、変更を行う入力キーを確定し、変更を行う前記入力キーの変更後の位置を確定し、変更後のキー配列をメモリに記憶させると共に前記表示生成手段にキー配列変更後のリモコン画像を表示するための処理を行わせることとしてもよい。
【００１２】
上記構成の電子機器において、前記表示信号生成部は、前記リモコン装置によって遠隔操作可能な操作のそれぞれに対応付けて設けられた入力キーの一覧をオンスクリーン表示するための信号を生成可能となっており、前記キー配列変更モードにおいては、前記一覧から選択される入力キーを前記リモコン画像中に追加できることとしてもよい。これにより、ユーザがリモコン画像をカスタマイズできる範囲が広がり、ユーザにとって更に好ましいリモコンとできる。
【００１３】
上記構成の電子機器において、前記ポインティングデバイスはタッチパネルであることとしてもよい。
【００１４】
上記構成の電子機器において、前記電子機器本体が、テレビジョン受信装置本体であることとしてもよい。
【発明の効果】
【００１５】
本発明によれば、オンスクリーン表示される画像を見ながらリモコン操作が行えると共に、ユーザにとって使い勝手が良いリモコン装置を備えた電子機器を提供できる。
【図面の簡単な説明】
【００１６】
【図１】本実施形態のリモコン装置を備えた電子機器（テレビジョン受信装置）の構成を示すブロック図
【図２】本実施形態の電子機器（テレビジョン受信装置）に備えられるリモコン装置の構成を説明するための図
【図３】本実施形態のリモコン装置を用いてテレビジョン受信装置を操作する場合のテレビ画面の一例を示す模式図
【図４】キー配列変更モードでの本体制御部の制御動作を示すフローチャート
【図５】キー配列変更モードにおけるテレビ画面の一例を示す模式図
【発明を実施するための形態】
【００１７】
以下、本発明のリモコン装置を備えた電子機器の実施形態について図面を参照しながら説明する。ここでは、リモコン装置を備えた電子機器がテレビジョン受信装置である場合の実施形態について説明する。
【００１８】
図１は、本実施形態のリモコン装置を備えた電子機器の構成を示すブロック図である。図１において、符号１はテレビジョン受信装置本体、符号２はテレビジョン受信装置本体１を遠隔操作するためのリモコン装置である。以下、テレビジョン受信装置本体１及びリモコン装置２の概略構成について順に説明する。
【００１９】
テレビジョン受信装置本体１には、本体制御部１１と、メモリ１２と、チューナ１３と、デコーダ１４と、映像音声信号処理部１５と、ＯＳＤ（On Screen Display）部１６と、映像出力部１７と、音声出力部１８と、リモコン受信部１９と、が備えられている。本体制御部１１はＣＰＵ等からなって、テレビジョン受信装置本体１に備えられる各部を制御する。メモリ１２には、テレビジョン受信装置の動作に必要なプログラムやデータ等が記憶されている。
【００２０】
チューナ１３は、図示しないアンテナを介して地上波放送信号等のテレビジョン放送信号を受信する。デコーダ１４は、チューナ１３によって受信された放送信号を復調する。映像音声信号処理部１５は、復調された放送信号を映像信号及び音声信号に分離する。ＯＳＤ部１６は、分離された映像信号にリモコン操作を行う際に必要となるＯＳＤ情報を多重する。映像出力部１７は、例えば液晶表示装置等によって形成されるモニタを備え、映像信号（ＯＳＤ情報が多重されている場合と多重されていない場合がある）をモニタ画面（以下ではテレビ画面と表現することがある）に出力する。音声出力部１８はスピーカを備え、映像音声信号処理部１５によって分離された音声信号を出力する。リモコン受信部１９は、リモコン装置２から送信されるリモコン信号（例えば赤外線信号が用いられる）を受信する。リモコン受信部１９によって受信された情報は、本体制御部１１に入力される。
【００２１】
リモコン装置２には、リモコン制御部２１と、ポインティングデバイス２２と、選択位置確定手段２３と、送信部２４と、が備えられている。リモコン制御部２１はＣＰＵ等からなって、リモコン装置２に備えられる各部を制御する。ポインティングデバイス２２は、カーソルを移動制御するものであり、これにより、ユーザはテレビジョン受信装置本体１のテレビ画面に表示されるカーソルの移動制御を行える。選択位置確定手段２３は、ポインティングデバイス２２によって移動制御されるカーソルが指示する位置を選択位置として確定させるものであり、これによりユーザはテレビ画面上においてカーソルが指示する位置を選択位置として確定させることができる。
【００２２】
図２は、本実施形態の電子機器（テレビジョン受信装置）に備えられるリモコン装置の構成を説明するための図で、図２（ａ）はリモコン装置の概略斜視図、図２（ｂ）は図２（ａ）のＡ−Ａ位置における概略断面図である。図２を参照しながら、本実施形態のリモコン装置２の構成を更に詳細に説明する。
【００２３】
本実施形態のリモコン装置２においては、ポインティングデバイス２２は静電タッチパネルによって構成されており、この静電タッチパネル２２がケース２５上面の開口孔に装着されている。ポインティングデバイスとして機能する静電タッチパネル２２の構成は公知であるために詳細な構成は図示しないが、それぞれ上面に所定パターンの導電層が形成されたフィルム状の２枚の基板が重ねられ、更にその上からカバーシートが重ねられた構造となっている。
【００２４】
静電タッチパネル２２の下方の配線基板３６の上面には、銅やカーボン等の導電部材によって形成される略円形状の中央固定接点３１Ａと、この中央固定接点３１Ａを取り囲むように形成される略馬蹄形状の外側固定接点３１Ａと、からなる固定接点３１が複数設けられている。
【００２５】
また、ポリエチレン等のフィルム状の樹脂からなるベースシート３２の下面には、略ドーム状に設けられて銅等の導電金属薄膜からなる可動接点３３が複数貼り付けられている。ベースシート３２は、その下面に貼り付けられる可動接点３３の外周が外側固定接点３１Ｂ上に載置され、可動接点３３の下面中央が中央固定接点３１Ａと所定の間隙を空けて対向するように、配線基板３６上面に貼り付けられている。固定接点３１と可動接点３３とは一対となってスイッチ接点３４を形成し、静電タッチパネル２２の下方には複数のスイッチ接点３４が設けられている。
【００２６】
更に、各可動接点３３中央上方のベースシート３２上面には、ポリエステルやエポキシ等の樹脂によって形成される突起部３５が設けられている。この突起部３５は静電タッチパネル２２の下面と当接している。このように形成することにより、静電タッチパネル２２の押圧の有無によってスイッチ接点３４をオンオフすることが可能となる。このため、静電タッチパネル２２を押圧するという動作によって、カーソル（静電タッチパネル２２により移動制御される）が指示する位置を選択位置として確定させることが可能となる。すなわち、静電タッチパネル２２、スイッチ接点３４、及び突起部３５は、カーソルによって指示される位置を選択位置として確定させる選択位置確定手段２３を構成している。
【００２７】
その他、リモコン制御部２１は配線基板３６の下面に装着される。また、ケース２５の側面に設けられる送信部２４は、配線基板３６に装着される図示しない発光ダイオード等の電子部品からなる。更に、ケース２５上面に設けられる複数の押しボタン２６は、押圧或いは揺動操作可能に設けられ、これらの押しボタン２６の下方には、上述のスイッチ接点３４と同様のスイッチ接点が設けられる。そして、これによって押しボタン２６の操作によって電気的接離が可能となる。この押しボタン２６は、例えば、テレビジョン受信装置本体１の電源の入／切等に使用される。なお、図１においては、この押しボタン２６について図示を省略している。
【００２８】
次に、本実施形態のテレビジョン受信装置本体１をリモコン装置２の静電タッチパネル（ポインティングデバイス）２２及び選択位置確定手段２３を用いて操作する場合の動作について、図１から図３を参照しながら説明する。なお、図３は、本実施形態のリモコン装置を用いてテレビジョン受信装置を操作する場合のテレビ画面の一例を示す模式図である。
【００２９】
ユーザがリモコン装置２の静電タッチパネル２２の上面に指（これは一例で専用ペン等でもよい）で触れると静電タッチパネル２２からの信号によりリモコン制御部２１はそのことを検出し、テレビジョン受信装置本体１にリモコン信号を送信する。これにより、本体制御部１１はＯＳＤ部１６に指示を出して、リモコンに模したリモコン画像４１及びカーソル４２を図３に示すようにテレビ画面にオンスクリーン表示させる。すなわち、ＯＳＤ部１６は、本発明の表示信号生成手段としての機能を果たす。なお、リモコン画像４１やカーソル４２に関する画像情報はメモリ１２に記憶されている。
【００３０】
ユーザが静電タッチパネル２２の上面に指で触れた状態で、上面をなぞるように指を動かすと、静電タッチパネル２２からの信号によりリモコン制御部２１は接触箇所の変化を検出する。これにより、リモコン装置２から接触状態の変化に応じた信号がテレビジョン受信装置本体１へと送信され、本体制御部１１はカーソル４２の移動情報を取得する。そして、本体制御部１１は、ＯＳＤ部１６を制御して、指の動きに応じてカーソル４２が移動する映像をテレビ画面に表示させる。
【００３１】
ユーザがテレビ画面を見ながら静電タッチパネル２２を用いてカーソル４２を動かし、リモコン画像４１に表示される入力キー４１ａを選択するために、静電タッチパネル２２を押圧すると、上述の選択位置確定手段２３が動作してリモコン制御部２１はカーソル４２が指示する位置が選択位置として確定されたことを検出する。これにより、リモコン装置２から現在のカーソル４２が指示する位置がユーザによって選択されたことがテレビジョン受信装置本体１に送信され、本体制御部１１はその位置に対応する入力キーを検出すると共に、選択された入力キーに対応する命令を実行させる。例えば、図３において、チャンネルボタンである「８」が選択されると、本体制御部１１はチューナ１３にチャンネル「８」を選択するように指示する。
【００３２】
すなわち、本実施形態のリモコン装置を備えたテレビジョン受信装置では、ユーザはリモコン装置２を見ずに、テレビ画面のみを見ながらリモコン操作を行えるので便利である。ところで、上述のようにテレビ画面に表示されるリモコン画像４１の入力キー４１ａの配列についてユーザが不満を抱く可能性があり、リモコン画像４１の入力キー４１ａの配列をユーザの好みに合わせて自由に設定変更できると便利である。このため、本実施形態のリモコン装置を備えたテレビジョン受信装置では、リモコン画像４１中に表示される入力キー４１ａの変更を可能とするキー配列変更モードを設けている。
【００３３】
このキー配列変更モードについて図４及び図５を参照しながら説明する。図４は、キー配列変更モードでの本体制御部の制御動作を示すフローチャートである。図５は、キー配列変更モードにおけるテレビ画面の一例を示す模式図である。
【００３４】
テレビ画面に表示されるリモコン画像４１の入力キー４１ａの配列変更は、ユーザがキー配列変更モードを選択することにより可能となる。すなわち、まず、ユーザからの指令によって本体制御部１１はキー配列変更モードが選択されたことを認識する（ステップＳ１）必要がある。このような認識は、例えばリモコン画像４１中に表示される入力キー４１ａの中にキー配列変更モードを選択するための入力キーを設けておく構成によって実現できる。また、他の形態として、リモコン装置２に設けられる複数の入力ボタン２６（図２参照）の中にキー配列変更モードを選択するための入力ボタンを設けておく構成等によって実現してもよい。
【００３５】
本体制御部１１は、キー配列変更モードが選択されたことを認識すると、ＯＳＤ部１６を制御して、図５に示すようにリモコン画像４１、カーソル４２、及びキー一覧４３をオンスクリーン表示させる（ステップＳ２）。キー一覧４３は、リモコン装置２によって遠隔操作可能な操作のそれぞれに対応付けて設けられた入力キー４３ａの一覧である。キー一覧４３に関する画像情報はメモリ１２に予め記憶されている。なお、図５に示すキー一覧４３は例示であり、勿論これに限定される趣旨ではない。
【００３６】
キー配列変更モード用の画面が表示された状態で、ユーザはリモコン装置２の静電タッチパネル２２を用いてカーソル４２の位置を変更したい入力キー４１ａ（或いは４３ａ；以下ではこの括弧書きは省略する）に合わせる。そして、変更したい入力キー４１ａにカーソル４２の位置が合わせられると、ユーザは静電タッチパネル２２を押圧して選択位置確定手段２３を作動し、変更したい入力キー４１ａを確定させる。これにより、リモコン装置２からテレビジョン受信装置本体１へとリモコン信号が送信され、本体制御部１１はユーザによって選択された変更したい入力キー４１ａを確定する（ステップＳ３）。なお、本体制御部１１はキー配列変更モードでは、入力キー４１ａの選択が確定されても、その入力キー４１ａに対応する操作を実行しようとはしない。
【００３７】
ユーザは変更したい入力キー４１ａを確定させると、次に変更したい入力キー４１ａの変更後の位置を確定させる。具体的には、ユーザは静電タッチパネル２２を用いてカーソル４２を変更したい位置に移動し、その位置で選択位置確定手段２３を用いて変更後の入力キー４１ａの位置を確定させる。これにより、リモコン装置２からテレビジョン受信装置本体１へとリモコン信号が送信され、本体制御部１１はユーザによって選択された変更後の入力キー４１ａの位置を確定させる（ステップＳ４）。
【００３８】
ここで、図５を参照しながら、キー配列変更モードにおける、キー配列を変更したい入力キーの選択と、変更後の位置の選択についてもう少し詳しく説明しておく。本実施形態のテレビジョン受信装置においては、ユーザはリモコン画像４１中における入力キー４１ａのみならず、キー一覧４３中に表示される入力キー４３ａについてもキー配列を変更したい入力キーとして選択できる。すなわち、既にリモコン画像４１中に表示される入力キー４１ａの位置を移動する（図５中のルートｒ１が該当）だけでなく、リモコン画像４１中になかった入力キー４３ａを追加することができる（図５中のルートｒ２が該当）。
【００３９】
また、リモコン画像４１中に既に表示される入力キー４１ａを変更したい入力キーとして選択した場合に、変更後の位置としてリモコン画像４１の外の位置を選択することができる（図５中のルートｒ３が該当）。この場合、リモコン画像４１中に表示される入力キー４１ａは、削除するものとして処理される。
【００４０】
図４に戻って、本体制御部１１は、確定された変更後の入力キー４１ａの位置にしたがって、先に記憶されていたリモコン画像４１の情報を更新すると共に、ＯＳＤ部１６を制御してテレビ画面に表示されるリモコン画像４１を変更させる（ステップＳ５）。キー配列を変更する入力キー４１ａが複数ある場合にはステップＳ３〜Ｓ５が繰り返されることになる。キー配列変更モードの終了は、ユーザからの指令によって行われ、これは、例えば、キー配列変更モードを選択するためのキーを再度選択すれば、キー配列変更モードが解除されるというような構成とすればよい。
【００４１】
以上のように、本実施形態のリモコン装置を備えたテレビジョン受信装置においては、リモコン装置２を用いたリモコン操作を行う場合にオンスクリーン表示されるリモコン画像４１について、キー配列をユーザの好みに合わせて自由に設定変更することができる。このため、ユーザにとってリモコンの操作が非常に行い易くなる。
【００４２】
以上に示した実施形態は一例であり、本発明のリモコン装置を備えた電子機器は以上に示した実施形態に限定されるものではない。すなわち、本発明の目的を逸脱しない範囲で、以上に示した実施形態について種々の変更を行うことが可能である。
【００４３】
例えば、以上に示した実施形態では、リモコン装置が備えるポインティングデバイスが静電タッチパネルである場合を示したが、これに限定される趣旨ではない。例えば、ポインティングデバイスとしてタッチパネルを選択する場合に、静電タッチパネルとすることは必須ではなく、他の公知のタッチパネルに置き換えてもよい。
【００４４】
また、以上に示した実施形態では、カーソルによって指示される位置を選択位置として確定させる選択位置確定手段を、静電タッチパネルを押圧することで実現できるように構成した。しかし、選択位置確定手段の構成はこの構成に限定される趣旨ではなく、例えば、リモコン装置２に設けられる入力ボタン等によって実現する構成としても構わない。
【００４５】
また、以上に示した実施形態では、キー配列変更モードでキー一覧から入力キーの追加を行える構成としたが、このような追加は行えない構成であってもよい。
【００４６】
また、以上に示した実施形態では、リモコン装置を備えた電子機器がテレビジョン受信装置である場合を示したが、これに限定される趣旨ではない。すなわち、リモコン装置を備えた電子機器が、映像を再生する映像再生装置（例えば、ＤＶＤやＢＤを再生するプレーヤ）や映像を録画再生する映像録画再生装置（例えば、ＤＶＤレコーダ、ＢＤレコーダ等）であってもよい。
【産業上の利用可能性】
【００４７】
本発明はリモコン装置を備えた電子機器に広く適用でき、テレビジョン受信装置、映像再生装置、映像録画再生装置に好適である。
【符号の説明】
【００４８】
１  テレビジョン受信装置本体（電子機器本体）
２  リモコン装置
１１  本体制御部
１２  メモリ
１６  ＯＳＤ部（表示信号生成手段）
１９  リモコン受信部
２２  静電タッチパネル（ポインティングデバイス）
２３  選択位置確定手段
２４  送信部
３４  スイッチ接点（選択位置確定手段の一部）
３５  突出部（選択位置確定手段の一部）
４１  リモコン画像
４１ａ  入力キー
４２  カーソル
４３  キー一覧
４３ａ  入力キー
【図１】
2010233157.tif 000003
【図２】
2010233157.tif 000004
【図３】
2010233157.tif 000005
【図４】
2010233157.tif 000006
【図５】
2010233157.tif 000007